(57)【要約】【課題】  原稿を画像形成装置の設置場所まで運搬する負担をなくすことができるコピー用データ生成装置、コピー用データ生成プログラムおよびコピーシステムを提供する。【解決手段】  コピー用データ生成装置は、カメラによる撮影画像に含まれている原稿の画像を取得し、原稿から読み取られた画像を印刷するコピーのためのデータとしてのコピー用データを、カメラによる撮影画像に含まれている原稿の画像に基づいて生成し（Ｓ１２１）、Ｓ１２１において生成したコピー用データを出力することを特徴とする。【選択図】  図８
2019208161.tif 000002
【特許請求の範囲】
【請求項１】
撮像デバイスと、
原稿から読み取られた画像を印刷するコピーのためのデータとしてのコピー用データを生成するデータ生成手段と、
前記撮像デバイスによる撮影画像に含まれている前記原稿の画像を取得する原稿画像取得手段と、
前記データ生成手段によって生成された前記コピー用データを出力するデータ出力手段と
を備え、
前記データ生成手段は、前記原稿画像取得手段によって取得された前記画像に基づいて前記コピー用データを生成することを特徴とするコピー用データ生成装置。
【請求項２】
表示デバイスと、
前記原稿画像取得手段によって取得された前記画像に基づいて前記コピーの仕上がりのイメージを生成するイメージ生成手段と、
前記イメージ生成手段によって生成された前記イメージを前記表示デバイスに表示するイメージ表示手段と
を備えることを特徴とする請求項１に記載のコピー用データ生成装置。
【請求項３】
前記コピーの仕上がりの設定を受け付ける設定受付手段を備え、
前記イメージ生成手段は、前記原稿画像取得手段によって取得された前記画像に、前記設定受付手段によって受け付けられた前記設定を適用することによって、前記仕上がりのイメージを生成し、
前記データ生成手段は、前記原稿画像取得手段によって取得された前記画像と、前記設定受付手段によって受け付けられた前記設定とに基づいて前記コピー用データを生成することを特徴とする請求項２に記載のコピー用データ生成装置。
【請求項４】
前記コピーの仕上がりの設定を受け付ける設定受付手段を備え、
前記データ生成手段は、前記原稿画像取得手段によって取得された前記画像と、前記設定受付手段によって受け付けられた前記設定とに基づいて前記コピー用データを生成することを特徴とする請求項１に記載のコピー用データ生成装置。
【請求項５】
前記データ出力手段は、前記データ生成手段によって生成された前記コピー用データを、前記コピー用データ生成装置の利用者の代わりに印刷の作業を行う代行業者の宛先に出力することを特徴とする請求項１から請求項４までのいずれかに記載のコピー用データ生成装置。
【請求項６】
前記データ出力手段は、前記データ生成手段によって生成された前記コピー用データを、前記コピー用データに基づいた印刷を実行する画像形成装置に出力することを特徴とする請求項１から請求項４までのいずれかに記載のコピー用データ生成装置。
【請求項７】
撮像デバイスを備えるコンピューターに、
原稿から読み取られた画像を印刷するコピーのためのデータとしてのコピー用データを生成するデータ生成手段と、
前記撮像デバイスによる撮影画像に含まれている前記原稿の画像を取得する原稿画像取得手段と、
前記データ生成手段によって生成された前記コピー用データを出力するデータ出力手段と
を実現させ、
前記データ生成手段は、前記原稿画像取得手段によって取得された前記画像に基づいて前記コピー用データを生成することを特徴とするコピー用データ生成プログラム。
【請求項８】
請求項１から請求項６までのいずれかに記載のコピー用データ生成装置と、
前記コピー用データに基づいた印刷を実行する画像形成装置と
を備えることを特徴とするコピーシステム。
【発明の詳細な説明】
【技術分野】
【０００１】
本発明は、原稿から読み取られた画像を印刷するコピーのためのコピー用データ生成装置、コピー用データ生成プログラムおよびコピーシステムに関する。
【背景技術】
【０００２】
従来のコピーシステムとして、画像形成装置と、画像形成装置を操作する電子機器とを備え、画像形成装置によるコピーの仕上がりの設定を行うための画面を電子機器の表示デバイスに表示するものが知られている（例えば、特許文献１参照。）。
【先行技術文献】
【特許文献】
【０００３】
【特許文献１】特開２０１６−２０７０４８号公報
【発明の概要】
【発明が解決しようとする課題】
【０００４】
しかしながら、従来のコピーシステムにおいては、画像形成装置のスキャナーによって原稿を読み取るので、原稿を画像形成装置の設置場所まで運搬する負担が利用者にかかるという問題がある。
【０００５】
そこで、本発明は、原稿を画像形成装置の設置場所まで運搬する負担をなくすことができるコピー用データ生成装置、コピー用データ生成プログラムおよびコピーシステムを提供することを目的とする。
【課題を解決するための手段】
【０００６】
本発明のコピー用データ生成装置は、撮像デバイスと、原稿から読み取られた画像を印刷するコピーのためのデータとしてのコピー用データを生成するデータ生成手段と、前記撮像デバイスによる撮影画像に含まれている前記原稿の画像を取得する原稿画像取得手段と、前記データ生成手段によって生成された前記コピー用データを出力するデータ出力手段とを備え、前記データ生成手段は、前記原稿画像取得手段によって取得された前記画像に基づいて前記コピー用データを生成することを特徴とする。
【０００７】
この構成により、本発明のコピー用データ生成装置は、撮像デバイスによる撮影画像に含まれている原稿の画像に基づいてコピー用データを生成し、生成したコピー用データを出力するので、原稿を画像形成装置の設置場所まで運搬する負担をなくすことができる。
【０００８】
本発明のコピー用データ生成装置は、表示デバイスと、前記原稿画像取得手段によって取得された前記画像に基づいて前記コピーの仕上がりのイメージを生成するイメージ生成手段と、前記イメージ生成手段によって生成された前記イメージを前記表示デバイスに表示するイメージ表示手段とを備えても良い。
【０００９】
この構成により、本発明のコピー用データ生成装置は、コピーの仕上がりのイメージを表示デバイスに表示するので、仕上がりのイメージを利用者に確認させた上でコピー用データを生成することができ、利便性を向上することができる。
【００１０】
本発明のコピー用データ生成装置は、前記コピーの仕上がりの設定を受け付ける設定受付手段を備え、前記イメージ生成手段は、前記原稿画像取得手段によって取得された前記画像に、前記設定受付手段によって受け付けられた前記設定を適用することによって、前記仕上がりのイメージを生成し、前記データ生成手段は、前記原稿画像取得手段によって取得された前記画像と、前記設定受付手段によって受け付けられた前記設定とに基づいて前記コピー用データを生成しても良い。
【００１１】
この構成により、本発明のコピー用データ生成装置は、コピーの仕上がりの設定を受け付け、仕上がりの設定を適用した仕上がりのイメージを表示デバイスに表示し、撮像デバイスによる撮影画像に含まれている原稿の画像と、仕上がりの設定とに基づいてコピー用データを生成するので、利用者から受け付けた仕上がりの設定を適用した仕上がりのイメージを利用者に確認させた上で、この仕上がりの設定に基づいたコピー用データを生成することができ、利便性を向上することができる。
【００１２】
本発明のコピー用データ生成装置は、前記コピーの仕上がりの設定を受け付ける設定受付手段を備え、前記データ生成手段は、前記原稿画像取得手段によって取得された前記画像と、前記設定受付手段によって受け付けられた前記設定とに基づいて前記コピー用データを生成しても良い。
【００１３】
この構成により、本発明のコピー用データ生成装置は、コピーの仕上がりの設定を受け付け、撮像デバイスによる撮影画像に含まれている原稿の画像と、仕上がりの設定とに基づいてコピー用データを生成するので、利用者から受け付けた仕上がりの設定に基づいたコピー用データを生成することができ、利便性を向上することができる。
【００１４】
本発明のコピー用データ生成装置において、前記データ出力手段は、前記データ生成手段によって生成された前記コピー用データを、前記コピー用データ生成装置の利用者の代わりに印刷の作業を行う代行業者の宛先に出力しても良い。
【００１５】
この構成により、本発明のコピー用データ生成装置は、利用者の代わりに印刷の作業を行う代行業者の宛先にコピー用データを出力するので、コピー用データに基づいた画像形成装置による印刷を代行業者に実行させることができ、利便性を向上することができる。
【００１６】
本発明のコピー用データ生成装置において、前記データ出力手段は、前記データ生成手段によって生成された前記コピー用データを、前記コピー用データに基づいた印刷を実行する画像形成装置に出力しても良い。
【００１７】
この構成により、本発明のコピー用データ生成装置は、コピー用データに基づいた印刷を実行する画像形成装置にコピー用データを出力するので、コピー用データに基づいた画像形成装置による印刷を利用者に実行させることができ、利便性を向上することができる。
【００１８】
本発明のコピー用データ生成プログラムは、撮像デバイスを備えるコンピューターに、原稿から読み取られた画像を印刷するコピーのためのデータとしてのコピー用データを生成するデータ生成手段と、前記撮像デバイスによる撮影画像に含まれている前記原稿の画像を取得する原稿画像取得手段と、前記データ生成手段によって生成された前記コピー用データを出力するデータ出力手段とを実現させ、前記データ生成手段は、前記原稿画像取得手段によって取得された前記画像に基づいて前記コピー用データを生成することを特徴とする。
【００１９】
この構成により、本発明のコピー用データ生成プログラムを実行するコンピューターは、撮像デバイスによる撮影画像に含まれている原稿の画像に基づいてコピー用データを生成し、生成したコピー用データを出力するので、原稿を画像形成装置の設置場所まで運搬する負担をなくすことができる。
【００２０】
本発明のコピーシステムは、上述のコピー用データ生成装置と、前記コピー用データに基づいた印刷を実行する画像形成装置とを備えることを特徴とする。
【００２１】
この構成により、本発明のコピーシステムは、撮像デバイスによる撮影画像に含まれている原稿の画像に基づいてコピー用データ生成装置によってコピー用データを生成し、コピー用データ生成装置によって生成したコピー用データに基づいた印刷を画像形成装置によって実行するので、原稿を画像形成装置の設置場所まで運搬する負担をなくすことができる。
【発明の効果】
【００２２】
本発明のコピー用データ生成装置、コピー用データ生成プログラムおよびコピーシステムは、原稿を画像形成装置の設置場所まで運搬する負担をなくすことができる。
【図面の簡単な説明】
【００２３】
【図１】本発明の一実施の形態に係るコピーシステムのブロック図である。
【図２】図１に示すコピー用データ生成装置のブロック図である。
【図３】ＭＦＰである場合の図１に示す利用者用画像形成装置のブロック図である。
【図４】図１に示すコンピューターのブロック図である。
【図５】図４に示すコピー用データベースの一例を示す図である。
【図６】ＭＦＰである場合の図１に示す代行業者用画像形成装置のブロック図である。
【図７】コピー用データを生成する場合の図２に示すコピー用データ生成装置の動作の一部のフローチャートである。
【図８】図７に示す動作の続きの動作のフローチャートである。
【図９】図８に示す動作の続きの動作のフローチャートである。
【図１０】利用者用画像形成装置によってコピー用データに基づいた印刷を実行する場合の図１に示すコピーシステムの動作のシーケンス図である。
【発明を実施するための形態】
【００２４】
以下、本発明の実施の形態について、図面を用いて説明する。
【００２５】
図１は、本発明の一実施の形態に係るコピーシステム１０のブロック図である。
【００２６】
図１に示すように、コピーシステム１０は、原稿から読み取られた画像を印刷するコピーのためのデータ（以下「コピー用データ」という。）を生成するコピー用データ生成装置２０と、例えばコンビニエンスストアなどの小売店に設置されてコピー用データ生成装置２０の利用者によって利用可能な画像形成装置としての利用者用画像形成装置３０と、コピー用データを受信するためのコンピューター４０と、コピー用データ生成装置２０の利用者の代わりに印刷の作業を行う代行業者によって利用可能な画像形成装置としての代行業者用画像形成装置５０とを備えている。
【００２７】
コピー用データ生成装置２０、利用者用画像形成装置３０、コンピューター４０および代行業者用画像形成装置５０は、ＬＡＮ（Ｌｏｃａｌ  Ａｒｅａ  Ｎｅｔｗｏｒｋ）、インターネットなどのネットワーク１１を介して互いに通信可能に接続されている。
【００２８】
コピー用データ生成装置２０は、例えば、ノートＰＣ（Ｐｅｒｓｏｎａｌ  Ｃｏｍｐｕｔｅｒ）などのＰＣ、スマートフォン、タブレットなどのコンピューターによって構成されても良い。コピーシステム１０は、コピー用データ生成装置２０と同様の構成のコピー用データ生成装置を、コピー用データ生成装置２０以外に少なくとも１つ備えても良い。
【００２９】
コンピューター４０は、例えば、ＰＣによって構成されても良い。
【００３０】
利用者用画像形成装置３０は、例えば、ＭＦＰ（Ｍｕｌｔｉｆｕｎｃｔｉｏｎ  Ｐｅｒｉｐｈｅｒａｌ）、プリンター専用機によって構成されても良い。コピーシステム１０は、利用者用画像形成装置３０と同様の構成の利用者用画像形成装置を、利用者用画像形成装置３０以外に少なくとも１つ備えても良い。
【００３１】
代行業者用画像形成装置５０は、例えば、ＭＦＰ、プリンター専用機によって構成されても良い。コピーシステム１０は、代行業者用画像形成装置５０と同様の構成の代行業者用画像形成装置を、代行業者用画像形成装置５０以外に少なくとも１つ備えても良い。
【００３２】
図２は、コピー用データ生成装置２０のブロック図である。
【００３３】
図２に示すように、コピー用データ生成装置２０は、種々の操作が入力される例えばボタンなどの操作デバイスである操作部２１と、種々の情報を表示する例えばＬＣＤ（Ｌｉｑｕｉｄ  Ｃｒｙｓｔａｌ  Ｄｉｓｐｌａｙ）などの表示デバイスである表示部２２と、撮像デバイスとしてのカメラ２３と、ＬＡＮ、インターネットなどのネットワーク経由で、または、ネットワークを介さずに有線または無線によって直接に、外部の装置と通信を行う通信デバイスである通信部２４と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２５と、コピー用データ生成装置２０全体を制御する制御部２６とを備えている。
【００３４】
記憶部２５は、コピー用データを生成するためのコピー用データ生成プログラム２５ａを記憶している。コピー用データ生成プログラム２５ａは、例えば、コピー用データ生成装置２０の製造段階でコピー用データ生成装置２０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリーなどの外部の記憶媒体からコピー用データ生成装置２０に追加でインストールされても良いし、ネットワーク上からコピー用データ生成装置２０に追加でインストールされても良い。
【００３５】
制御部２６は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部２６のＣＰＵの作業領域として用いられるメモリーとしてのＲＡＭ（Ｒａｎｄｏｍ  Ａｃｃｅｓｓ  Ｍｅｍｏｒｙ）とを備えている。制御部２６のＣＰＵは、記憶部２５または制御部２６のＲＯＭに記憶されているプログラムを実行する。
【００３６】
制御部２６は、コピー用データ生成プログラム２５ａを実行することによって、カメラ２３によって撮影された画像、すなわち、撮影画像に含まれている原稿の画像を取得する原稿画像取得手段２６ａと、コピーの仕上がりの設定を受け付ける設定受付手段２６ｂと、原稿の画像に基づいてコピーの仕上がりのイメージを生成するイメージ生成手段２６ｃと、コピーの仕上がりのイメージを表示部２２に表示するイメージ表示手段２６ｄと、コピー用データを生成するデータ生成手段２６ｅと、コピー用データを出力するデータ出力手段２６ｆとを実現する。
【００３７】
図３は、ＭＦＰである場合の利用者用画像形成装置３０のブロック図である。
【００３８】
図３に示すように、利用者用画像形成装置３０は、種々の操作が入力される例えばボタンなどの操作デバイスである操作部３１と、種々の情報を表示する例えばＬＣＤなどの表示デバイスである表示部３２と、用紙などの記録媒体に画像を印刷する印刷デバイスであるプリンター３３と、原稿から画像を読み取る読取デバイスであるスキャナー３４と、図示していない外部のファクシミリ装置と公衆電話回線などの通信回線経由でファックス通信を行うファックスデバイスであるファックス通信部３５と、ＬＡＮ、インターネットなどのネットワーク経由で、または、ネットワークを介さずに有線または無線によって直接に、外部の装置と通信を行う通信デバイスである通信部３６と、各種の情報を記憶する例えば半導体メモリー、ＨＤＤなどの不揮発性の記憶デバイスである記憶部３７と、利用者用画像形成装置３０全体を制御する制御部３８とを備えている。
【００３９】
操作部３１の少なくとも一部は、表示部３２とともに、タッチパネルを構成している。
【００４０】
プリンター３３は、印刷物にステープルを実行するためのステープラーを備えている。
【００４１】
記憶部３７は、コピー用データに基づいて印刷を実行するための印刷プログラム３７ａを記憶している。印刷プログラム３７ａは、例えば、利用者用画像形成装置３０の製造段階で利用者用画像形成装置３０にインストールされていても良いし、ＵＳＢメモリーなどの外部の記憶媒体から利用者用画像形成装置３０に追加でインストールされても良いし、ネットワーク上から利用者用画像形成装置３０に追加でインストールされても良い。
【００４２】
制御部３８は、例えば、ＣＰＵと、プログラムおよび各種のデータを記憶しているＲＯＭと、制御部３８のＣＰＵの作業領域として用いられるメモリーとしてのＲＡＭとを備えている。制御部３８のＣＰＵは、記憶部３７または制御部３８のＲＯＭに記憶されているプログラムを実行する。
【００４３】
制御部３８は、印刷プログラム３７ａを実行することによって、コピー用データに基づいて印刷を実行する印刷手段３８ａを実現する。
【００４４】
図４は、コンピューター４０のブロック図である。
【００４５】
図４に示すように、コンピューター４０は、種々の操作が入力される例えばキーボード、マウスなどの操作デバイスである操作部４１と、種々の情報を表示する例えばＬＣＤなどの表示デバイスである表示部４２と、ＬＡＮ、インターネットなどのネットワーク経由で、または、ネットワークを介さずに有線または無線によって直接に、外部の装置と通信を行う通信デバイスである通信部４３と、各種の情報を記憶する例えば半導体メモリー、ＨＤＤなどの不揮発性の記憶デバイスである記憶部４４と、コンピューター４０全体を制御する制御部４５とを備えている。
【００４６】
記憶部４４は、コピー用データを管理するためのコピー用データベース４４ａを記憶している。
【００４７】
制御部４５は、例えば、ＣＰＵと、プログラムおよび各種のデータを記憶しているＲＯＭと、制御部４５のＣＰＵの作業領域として用いられるメモリーとしてのＲＡＭとを備えている。制御部４５のＣＰＵは、記憶部４４または制御部４５のＲＯＭに記憶されているプログラムを実行する。
【００４８】
図５は、コピー用データベース４４ａの一例を示す図である。
【００４９】
図５に示すコピー用データベース４４ａは、コピー用データと、このコピー用データに基づいて代行業者に印刷の作業を依頼する場合の料金（以下「代行料金」という。）と、このコピー用データに基づいて代行業者に印刷の作業を依頼するために必要な情報（以下「代行依頼必要情報」という。）とを、コピー用データ毎に記憶している。ここで、代行依頼必要情報は、例えば、印刷物の配送先の情報と、代行料金の支払い方法の情報とを含む。
【００５０】
図６は、ＭＦＰである場合の代行業者用画像形成装置５０のブロック図である。
【００５１】
図６に示すように、代行業者用画像形成装置５０は、種々の操作が入力される例えばボタンなどの操作デバイスである操作部５１と、種々の情報を表示する例えばＬＣＤなどの表示デバイスである表示部５２と、用紙などの記録媒体に画像を印刷する印刷デバイスであるプリンター５３と、原稿から画像を読み取る読取デバイスであるスキャナー５４と、図示していない外部のファクシミリ装置と公衆電話回線などの通信回線経由でファックス通信を行うファックスデバイスであるファックス通信部５５と、ＬＡＮ、インターネットなどのネットワーク経由で、または、ネットワークを介さずに有線または無線によって直接に、外部の装置と通信を行う通信デバイスである通信部５６と、各種の情報を記憶する例えば半導体メモリー、ＨＤＤなどの不揮発性の記憶デバイスである記憶部５７と、代行業者用画像形成装置５０全体を制御する制御部５８とを備えている。
【００５２】
操作部５１の少なくとも一部は、表示部５２とともに、タッチパネルを構成している。
【００５３】
プリンター５３は、印刷物にステープルを実行するためのステープラーを備えている。
【００５４】
制御部５８は、例えば、ＣＰＵと、プログラムおよび各種のデータを記憶しているＲＯＭと、制御部５８のＣＰＵの作業領域として用いられるメモリーとしてのＲＡＭとを備えている。制御部５８のＣＰＵは、記憶部５７または制御部５８のＲＯＭに記憶されているプログラムを実行する。
【００５５】
次に、コピーシステム１０の動作について説明する。
【００５６】
まず、コピー用データを生成する場合のコピー用データ生成装置２０の動作について説明する。
【００５７】
図７〜図９は、コピー用データを生成する場合のコピー用データ生成装置２０の動作のフローチャートである。
【００５８】
コピー用データ生成装置２０の制御部２６は、コピー用データ生成プログラム２５ａの実行が操作部２１を介して指示されると、図７〜図９に示す動作を実行する。
【００５９】
図７〜図９に示すように、原稿画像取得手段２６ａは、カメラ２３が利用可能な状態であるか否かを判断する（Ｓ１０１）。
【００６０】
原稿画像取得手段２６ａは、カメラ２３が利用可能な状態ではないとＳ１０１において判断すると、カメラ２３が利用可能な状態ではないことを示すエラーメッセージを表示部２２に表示して（Ｓ１０２）、Ｓ１０１の処理を実行する。
【００６１】
原稿画像取得手段２６ａは、カメラ２３が利用可能な状態であるとＳ１０１において判断すると、カメラ２３による撮影を開始する（Ｓ１０３）。
【００６２】
次いで、原稿画像取得手段２６ａは、直前のＳ１０３によって開始された撮影において取得した画像、すなわち、撮影画像にコピーのための原稿が含まれているか否かを画像処理に基づいて判断する（Ｓ１０４）。
【００６３】
原稿画像取得手段２６ａは、撮影画像に原稿が含まれていないとＳ１０４において判断すると、直前のＳ１０３において撮影を開始してからの経過時間が特定の時間以上であるか否かを判断する（Ｓ１０５）。
【００６４】
原稿画像取得手段２６ａは、経過時間が特定の時間以上ではないとＳ１０５において判断すると、Ｓ１０４の処理を実行する。
【００６５】
原稿画像取得手段２６ａは、経過時間が特定の時間以上であるとＳ１０５において判断すると、撮影画像に原稿が含まれていないことを示すエラーメッセージを表示部２２に表示して（Ｓ１０６）、Ｓ１０１の処理を実行する。
【００６６】
原稿画像取得手段２６ａは、撮影画像に原稿が含まれているとＳ１０４において判断すると、撮影画像に含まれている原稿の画像を取得する（Ｓ１０７）。
【００６７】
原稿画像取得手段２６ａは、Ｓ１０７の処理の後、後続の原稿が存在するか否かを利用者に問い合わせる画面（以下「後続原稿有無問い合わせ画面」という。）を表示部２２に表示する（Ｓ１０８）。ここで、原稿画像取得手段２６ａは、後続原稿有無問い合わせ画面をＡＲ（Ａｕｇｍｅｎｔｅｄ  Ｒｅａｌｉｔｙ）によって表示しても良い。
【００６８】
原稿画像取得手段２６ａは、Ｓ１０８の処理の後、後続原稿有無問い合わせ画面において回答が入力されたと判断するまで、後続原稿有無問い合わせ画面において回答が入力されたか否かを判断する（Ｓ１０９）。
【００６９】
原稿画像取得手段２６ａは、後続原稿有無問い合わせ画面において回答が入力されたとＳ１０９において判断すると、後続の原稿が存在することが後続原稿有無問い合わせ画面において回答されたか否かを判断する（Ｓ１１０）。
【００７０】
原稿画像取得手段２６ａは、後続の原稿が存在することが後続原稿有無問い合わせ画面において回答されたとＳ１１０において判断すると、Ｓ１０３の処理を実行する。
【００７１】
設定受付手段２６ｂは、後続の原稿が存在しないことが後続原稿有無問い合わせ画面において回答されたとＳ１１０において判断されると、コピーの仕上がりの設定を行うか否かを利用者に問い合わせる画面（以下「仕上がり設定有無問い合わせ画面」という。）を表示部２２に表示する（Ｓ１１１）。ここで、コピーの仕上がりの設定には、例えば、印刷のレイアウトの設定と、ステープルの有無とが含まれている。また、設定受付手段２６ｂは、仕上がり設定有無問い合わせ画面をＡＲによって表示しても良い。
【００７２】
設定受付手段２６ｂは、Ｓ１１１の処理の後、仕上がり設定有無問い合わせ画面において回答が入力されたと判断するまで、仕上がり設定有無問い合わせ画面において回答が入力されたか否かを判断する（Ｓ１１２）。
【００７３】
設定受付手段２６ｂは、仕上がり設定有無問い合わせ画面において回答が入力されたとＳ１１２において判断すると、コピーの仕上がりの設定を行うことが仕上がり設定有無問い合わせ画面において回答されたか否かを判断する（Ｓ１１３）。
【００７４】
設定受付手段２６ｂは、コピーの仕上がりの設定を行うことが仕上がり設定有無問い合わせ画面において回答されたとＳ１１３において判断すると、コピーの仕上がりの設定を利用者に行わせるための画面（以下「仕上がり設定用画面」という。）を表示部２２に表示する（Ｓ１１４）。ここで、設定受付手段２６ｂは、仕上がり設定用画面をＡＲによって表示しても良い。また、仕上がり設定用画面は、画像形成装置においてスキャナーによって原稿から読み取られた画像をプリンターによって印刷するコピーの仕上がりの設定を行うために画像形成装置の表示部に表示される画面と同様の画面でも良い。
【００７５】
設定受付手段２６ｂは、Ｓ１１４の処理の後、仕上がり設定用画面における設定が終了したと判断するまで、仕上がり設定用画面における仕上がりの設定が終了したか否かを判断する（Ｓ１１５）。
【００７６】
イメージ生成手段２６ｃは、コピーの仕上がりの設定を行わないことが仕上がり設定有無問い合わせ画面において回答されたとＳ１１３において判断されるか、仕上がり設定用画面における仕上がりの設定が終了したとＳ１１５において判断されると、コピーの仕上がりのイメージを生成する（Ｓ１１６）。なお、イメージ生成手段２６ｃは、仕上がり設定用画面において仕上がりの設定が行われている場合には、Ｓ１０７において取得した画像に、仕上がり設定用画面において行われた仕上がりの設定を適用することによって、コピーの仕上がりのイメージを生成する。また、イメージ生成手段２６ｃは、仕上がり設定用画面において仕上がりの設定が行われていない場合には、Ｓ１０７において取得した画像に、標準の仕上がりの設定を適用することによって、コピーの仕上がりのイメージを生成する。ここで、標準の仕上がりの設定とは、例えば、印刷のレイアウトに関しては、１枚の原稿を１枚の記録媒体に片面印刷するという設定であり、ステープルの有無に関しては、ステープルをしないという設定である。
【００７７】
イメージ表示手段２６ｄは、Ｓ１１６の処理の後、Ｓ１１６において生成したイメージを表示部２２に表示する（Ｓ１１７）。ここで、イメージ表示手段２６ｄは、コピーの仕上がりのイメージをＡＲによって表示しても良い。
【００７８】
次いで、データ生成手段２６ｅは、コピーの仕上がりのイメージに納得したか否かを利用者に問い合わせる画面（以下「仕上がりイメージ可否問い合わせ画面」という。）を表示部２２に表示する（Ｓ１１８）。ここで、データ生成手段２６ｅは、仕上がりイメージ可否問い合わせ画面をＡＲによって表示しても良い。
【００７９】
データ生成手段２６ｅは、Ｓ１１８の処理の後、仕上がりイメージ可否問い合わせ画面において回答が入力されたと判断するまで、仕上がりイメージ可否問い合わせ画面において回答が入力されたか否かを判断する（Ｓ１１９）。
【００８０】
データ生成手段２６ｅは、仕上がりイメージ可否問い合わせ画面において回答が入力されたとＳ１１８において判断すると、コピーの仕上がりのイメージに納得したことが仕上がりイメージ可否問い合わせ画面において回答されたか否かを判断する（Ｓ１２０）。
【００８１】
設定受付手段２６ｂは、コピーの仕上がりのイメージに納得していないことが仕上がりイメージ可否問い合わせ画面において回答されたとＳ１２０において判断されると、Ｓ１１４の処理を実行する。
【００８２】
データ生成手段２６ｅは、コピーの仕上がりのイメージに納得したことが仕上がりイメージ可否問い合わせ画面において回答されたとＳ１２０において判断すると、コピー用データを生成する（Ｓ１２１）。ここで、データ生成手段２６ｅは、Ｓ１０７において取得された画像をコピー用データに含める。また、データ生成手段２６ｅは、仕上がり設定用画面において仕上がりの設定が行われている場合には、仕上がり設定用画面において行われた仕上がりの設定もコピー用データに含める。
【００８３】
データ出力手段２６ｆは、Ｓ１２１の処理の後、代行業者に印刷の作業を依頼するか否かを利用者に問い合わせる画面（以下「代行依頼有無問い合わせ画面」という。）を表示部２２に表示する（Ｓ１２２）。ここで、データ出力手段２６ｆは、代行依頼有無問い合わせ画面をＡＲによって表示しても良い。
【００８４】
データ出力手段２６ｆは、Ｓ１２２の処理の後、代行依頼有無問い合わせ画面において回答が入力されたと判断するまで、代行依頼有無問い合わせ画面において回答が入力されたか否かを判断する（Ｓ１２３）。
【００８５】
データ出力手段２６ｆは、代行依頼有無問い合わせ画面において回答が入力されたとＳ１２３において判断すると、代行業者に印刷の作業を依頼することが代行依頼有無問い合わせ画面において回答されたか否かを判断する（Ｓ１２４）。
【００８６】
データ出力手段２６ｆは、代行業者に印刷の作業を依頼することが代行依頼有無問い合わせ画面において回答されたとＳ１２４において判断すると、代行業者に印刷の作業を依頼する場合の代行料金を算出する（Ｓ１２５）。ここで、データ出力手段２６ｆは、例えば、コピーにおける印刷枚数に基づいて代行料金をＳ１２５において算出しても良い。また、データ出力手段２６ｆは、代行業者によって生成された印刷物の配送料金を含めた代行料金をＳ１２５におい算出しても良い。
【００８７】
データ出力手段２６ｆは、Ｓ１２５の処理の後、Ｓ１２５において算出した代行料金に納得したか否かを利用者に問い合わせる画面（以下「代行料金可否問い合わせ画面」という。）を表示部２２に表示する（Ｓ１２６）。ここで、データ出力手段２６ｆは、代行料金可否問い合わせ画面をＡＲによって表示しても良い。
【００８８】
データ出力手段２６ｆは、Ｓ１２６の処理の後、代行料金可否問い合わせ画面において回答が入力されたと判断するまで、代行料金可否問い合わせ画面において回答が入力されたか否かを判断する（Ｓ１２７）。
【００８９】
データ出力手段２６ｆは、代行料金可否問い合わせ画面において回答が入力されたとＳ１２７において判断すると、代行料金に納得したことが代行料金可否問い合わせ画面において回答されたか否かを判断する（Ｓ１２８）。
【００９０】
データ出力手段２６ｆは、代行料金に納得したことが代行料金可否問い合わせ画面において回答されたとＳ１２８において判断すると、代行依頼必要情報の設定を利用者に行わせるための画面（以下「代行依頼必要情報設定用画面」という。）を表示部２２に表示する（Ｓ１２９）。ここで、データ出力手段２６ｆは、代行依頼必要情報設定用画面をＡＲによって表示しても良い。
【００９１】
データ出力手段２６ｆは、Ｓ１２９の処理の後、代行依頼必要情報設定用画面における代行依頼必要情報の設定が終了したと判断するまで、代行依頼必要情報設定用画面における代行依頼必要情報の設定が終了したか否かを判断する（Ｓ１３０）。
【００９２】
データ出力手段２６ｆは、代行依頼必要情報設定用画面における代行依頼必要情報の設定が終了したとＳ１３０において判断すると、Ｓ１２１において生成したコピー用データと、Ｓ１２５において算出した代行料金と、代行依頼必要情報設定用画面において設定された代行依頼必要情報とを代行業者の宛先に送信する（Ｓ１３１）。コンピューター４０の制御部４５は、代行業者の宛先に送信された情報を受信することができるので、コピー用データ、代行料金および代行依頼必要情報がＳ１３１においてコピー用データ生成装置２０によって代行業者の宛先に送信されると、このコピー用データ、代行料金および代行依頼必要情報を互いに関連付けてコピー用データベース４４ａに記憶する。なお、データ出力手段２６ｆは、代行料金の支払いがクレジットカードなどによって実行された場合に、Ｓ１３１の処理を実行しても良い。
【００９３】
データ出力手段２６ｆは、代行業者に印刷の作業を依頼しないことが代行依頼有無問い合わせ画面において回答されたとＳ１２４において判断するか、代行料金に納得しなかったことが代行料金可否問い合わせ画面において回答されたとＳ１２８において判断するか、Ｓ１３１の処理を実行すると、Ｓ１２１において生成したコピー用データを保存するか否かを利用者に問い合わせる画面（以下「データ保存要否問い合わせ画面」という。）を表示部２２に表示する（Ｓ１３２）。ここで、データ出力手段２６ｆは、データ保存要否問い合わせ画面をＡＲによって表示しても良い。
【００９４】
データ出力手段２６ｆは、Ｓ１３２の処理の後、データ保存要否問い合わせ画面において回答が入力されたと判断するまで、データ保存要否問い合わせ画面において回答が入力されたか否かを判断する（Ｓ１３３）。
【００９５】
データ出力手段２６ｆは、データ保存要否問い合わせ画面において回答が入力されたとＳ１３３において判断すると、コピー用データを保存することがデータ保存要否問い合わせ画面において回答されたか否かを判断する（Ｓ１３４）。
【００９６】
データ出力手段２６ｆは、コピー用データを保存することがデータ保存要否問い合わせ画面において回答されたとＳ１３４において判断すると、Ｓ１２１において生成したコピー用データを記憶部２５に記憶して（Ｓ１３５）、Ｓ１０１の処理を実行する。
【００９７】
データ出力手段２６ｆは、コピー用データを保存しないことがデータ保存要否問い合わせ画面において回答されたとＳ１３４において判断すると、Ｓ１０１の処理を実行する。
【００９８】
次に、利用者用画像形成装置３０によってコピー用データに基づいた印刷を実行する場合のコピーシステム１０の動作について説明する。
【００９９】
図１０は、利用者用画像形成装置３０によってコピー用データに基づいた印刷を実行する場合のコピーシステム１０の動作のシーケンス図である。
【０１００】
利用者用画像形成装置３０の印刷手段３８ａは、操作部３１に特定の操作が入力された場合に、図１０に示す動作を実行する。
【０１０１】
図１０に示すように、印刷手段３８ａは、コピー用データの入力を利用者に促すメッセージを表示部３２に表示する（Ｓ１５１）。したがって、コピー用データ生成装置２０の利用者は、コピー用データ生成装置２０の記憶部２５に記憶されているコピー用データを利用者用画像形成装置３０に向けて出力することを操作部２１を介してコピー用データ生成装置２０に指示することができる。
【０１０２】
コピー用データ生成装置２０のデータ出力手段２６ｆは、記憶部２５に記憶されているコピー用データを利用者用画像形成装置３０に向けて出力することが操作部２１を介して指示されると、記憶部２５に記憶されているコピー用データを有線または無線の通信を介して利用者用画像形成装置３０に向けて出力する（Ｓ１５２）。
【０１０３】
利用者用画像形成装置３０の印刷手段３８ａは、コピー用データが入力されると、入力されたコピー用データに基づいてプリンター３３によって印刷を実行する（Ｓ１５３）。印刷手段３８ａは、コピー用データに仕上がりの設定が含まれている場合には、コピー用データに含まれている画像に基づいた印刷に、コピー用データに含まれている仕上がりの設定を適用する。また、印刷手段３８ａは、コピー用データに仕上がりの設定が含まれていない場合には、コピー用データに含まれている画像に基づいた印刷に、標準の仕上がりの設定を適用する。なお、コピー用データに含まれている画像がコピー用データ生成装置２０のカメラ２３による原稿の撮影時に斜めに撮影される場合があるが、斜めになっている画像は、利用者用画像形成装置３０における公知の機能によって真っ直ぐな画像に補正されることが可能である。
【０１０４】
なお、利用者用画像形成装置３０において印刷を実行する場合の料金は、利用者用画像形成装置３０によって徴収しても良い。また、利用者用画像形成装置３０が小売店に設置されている場合には、利用者用画像形成装置３０において印刷を実行する場合の料金は、小売店のレジで徴収しても良い。
【０１０５】
以上においては、コピー用データ生成装置２０から利用者用画像形成装置３０へのコピー用データの入力の方法として、コピー用データ生成装置２０から利用者用画像形成装置３０にコピー用データを有線または無線の通信を介して直接入力する方法について説明している。しかしながら、コピー用データ生成装置２０から利用者用画像形成装置３０へのコピー用データの入力の方法としては、上述した方法以外の方法でも良い。例えば、コピー用データ生成装置２０のデータ出力手段２６ｆが、記憶部２５に記憶されているコピー用データを外部の記憶媒体に出力し、利用者用画像形成装置３０の印刷手段３８ａが、この記憶媒体からコピー用データを入力する方法でも良い。
【０１０６】
次に、代行業者用画像形成装置５０によってコピー用データに基づいた印刷を実行する場合のコピーシステム１０の動作について説明する。
【０１０７】
代行業者は、コンピューター４０のコピー用データベース４４ａに記憶されている特定のコピー用データを取得することを、代行業者用画像形成装置５０の操作部５１を介して代行業者用画像形成装置５０に指示することができる。代行業者用画像形成装置５０の制御部５８は、この指示を受け付けると、この指示において特定されているコピー用データをコンピューター４０のコピー用データベース４４ａから取得する。なお、コピー用データベース４４ａにおいてコピー用データに関連付けられている代行依頼必要情報に含まれている代行料金の支払い方法の情報に代行料金の前払い制が示されている場合、代行業者は、このコピー用データにコピー用データベース４４ａにおいて関連付けられている代行料金が支払われたときにのみ、このコピー用データをコピー用データベース４４ａから取得することを、代行業者用画像形成装置５０の操作部５１を介して代行業者用画像形成装置５０に指示しても良い。
【０１０８】
代行業者用画像形成装置５０の制御部５８は、コンピューター４０からコピー用データを取得すると、取得したコピー用データに基づいてプリンター５３によって印刷を実行する。制御部５８は、コピー用データに仕上がりの設定が含まれている場合には、コピー用データに含まれている画像に基づいた印刷に、コピー用データに含まれている仕上がりの設定を適用する。また、制御部５８は、コピー用データに仕上がりの設定が含まれていない場合には、コピー用データに含まれている画像に基づいた印刷に、標準の仕上がりの設定を適用する。なお、コピー用データに含まれている画像がコピー用データ生成装置２０のカメラ２３による原稿の撮影時に斜めに撮影される場合があるが、斜めになっている画像は、代行業者用画像形成装置５０における公知の機能によって真っ直ぐな画像に補正されることが可能である。
【０１０９】
代行業者は、コピー用データに基づいてプリンター５３によって印刷された印刷物を、このコピー用データにコピー用データベース４４ａにおいて関連付けられている代行依頼必要情報に含まれている配送先に送付する。
【０１１０】
以上に説明したように、コピー用データ生成装置２０は、カメラ２３による撮影画像に含まれている原稿の画像に基づいてコピー用データを生成し（Ｓ１２１）、生成したコピー用データを出力する（Ｓ１３１またはＳ１５２）ので、原稿を画像形成装置の設置場所まで運搬する負担をなくすことができる。
【０１１１】
コピー用データ生成装置２０は、コピーの仕上がりの設定を受け付け（Ｓ１１５でＹＥＳ）、カメラ２３による撮影画像に含まれている原稿の画像と、仕上がりの設定とに基づいてコピー用データを生成する（Ｓ１２１）ので、利用者から受け付けた仕上がりの設定に基づいたコピー用データを生成することができ、利便性を向上することができる。
【０１１２】
コピー用データ生成装置２０は、コピーの仕上がりのイメージを表示部２２に表示する（Ｓ１１７）ので、仕上がりのイメージを利用者に確認させた上でコピー用データを生成する（Ｓ１２１）ことができ、利便性を向上することができる。
【０１１３】
コピー用データ生成装置２０は、コピーの仕上がりの設定を受け付け（Ｓ１１５でＹＥＳ）、仕上がりの設定を適用した仕上がりのイメージを表示部２２に表示し（Ｓ１１７）、カメラ２３による撮影画像に含まれている原稿の画像と、仕上がりの設定とに基づいてコピー用データを生成する（Ｓ１２１）ので、利用者から受け付けた仕上がりの設定を適用した仕上がりのイメージを利用者に確認させた上で、この仕上がりの設定に基づいたコピー用データを生成することができ、利便性を向上することができる。
【０１１４】
コピー用データ生成装置２０は、Ｓ１２１において生成されたコピー用データを、コピー用データ生成装置２０の利用者の代わりに印刷の作業を行う代行業者の宛先に出力する（Ｓ１３１）ので、コピー用データに基づいた画像形成装置による印刷を代行業者に実行させることができ、利便性を向上することができる。
【０１１５】
コピー用データ生成装置２０は、Ｓ１２１において生成されたコピー用データを、コピー用データに基づいた印刷を実行する利用者用画像形成装置３０に出力する（Ｓ１５２）ので、コピー用データに基づいた利用者用画像形成装置３０による印刷を利用者に実行させることができ、利便性を向上することができる。コピーシステム１０は、コピー用データ生成装置２０によってコピー用データを生成してから、このコピー用データに基づいて利用者用画像形成装置３０によって印刷を実行する場合、利用者用画像形成装置３０のスキャナー３４によって原稿から読み取った画像を利用者用画像形成装置３０のプリンター３３によって印刷する構成と比較して、利用者が利用者用画像形成装置３０を１人で長時間使用することを防止することができる。
【０１１６】
コピーシステム１０は、コピー用データ生成装置２０によってコピー用データを生成してから、このコピー用データに基づいて利用者用画像形成装置３０によって印刷を実行するので、利用者用画像形成装置３０が小売店に設置されている場合、この小売店における集客力を向上することができる。
【０１１７】
コピーシステム１０は、本実施の形態において、コンピューター４０のコピー用データベース４４ａに記憶されている特定のコピー用データに基づいた印刷を代行業者が手動で代行業者用画像形成装置５０に実行させる。しかしながら、コピーシステム１０は、コンピューター４０のコピー用データベース４４ａに記憶されている特定のコピー用データに基づいた印刷を代行業者用画像形成装置５０が自動で実行しても良い。
【０１１８】
コピーシステム１０は、本実施の形態において、コンピューター４０を備えている。しかしながら、コピーシステム１０は、コンピューター４０の機能と同様の機能を備えるクラウドサービスを備える場合、コンピューター４０を備えなくても良い。
【０１１９】
コピーシステム１０は、本実施の形態において、代行業者用画像形成装置５０とは別に、コンピューター４０を備えている。しかしながら、代行業者用画像形成装置５０がコンピューター４０の機能と同様の機能を備える場合、コピーシステム１０は、コンピューター４０を備えなくても良い。
【符号の説明】
【０１２０】
１０  コピーシステム
２０  コピー用データ生成装置
２２  表示部（表示デバイス）
２３  カメラ（撮像デバイス）
２５ａ  コピー用データ生成プログラム
２６ａ  原稿画像取得手段
２６ｂ  設定受付手段
２６ｃ  イメージ生成手段
２６ｄ  イメージ表示手段
２６ｅ  データ生成手段
２６ｆ  データ出力手段
３０  利用者用画像形成装置（画像形成装置）
５０  代行業者用画像形成装置（画像形成装置）
【図１】
2019208161.tif 000003
【図２】
2019208161.tif 000004
【図３】
2019208161.tif 000005
【図４】
2019208161.tif 000006
【図５】
2019208161.tif 000007
【図６】
2019208161.tif 000008
【図７】
2019208161.tif 000009
【図８】
2019208161.tif 000010
【図９】
2019208161.tif 000011
【図１０】
2019208161.tif 000012